(57)【特許請求の範囲】
【請求項１】
前部分と、後部分と、該前部分と後部分との間に延びて、該前部分を後部分に接続する股部分とを備え、一対の長手方向の側部を有する吸収性物品において、
a)外側カバーと、
b)該外側カバーに重ねられる体側ライナーと、
c)前記外側カバーと前記体側ライナーとの間に配置され、一対の長手方向の縁を含む吸収性コアと、
d)一対の脚部収納ガスケットと、を備え、
該脚部収納ガスケットの各々は、中央寄りの縁と、外側寄りの縁と、幅と、厚さと、使用時において着用者の体と接触する関係にあるように構成されている体側に面する表面と、弛緩状態のときに前記脚部収納ガスケットにギャザーを形成するように構成される少なくとも１つの細長い弾性部材と、を含み、前記外側寄りの縁が、取り付け幅に沿って前記吸収性物品の前記長手方向側部に取り付けられており、前記中央寄りの縁は、前記吸収性物品の少なくとも前記股部分において、非取り付け幅に沿って前記長手方向側部に取り付けられていない状態となっており、前記吸収性物品の前記股部分における前記脚部収納ガスケットの前記取り付け幅は、前記脚部収納ガスケットの前記幅の少なくとも６０％であることを特徴とする吸収性物品。
【請求項２】
前部分と、後部分と、該前部分と後部分との間に延びて、該前部分を後部分に接続する股部分とを備え、一対の長手方向の側部を有する吸収性物品において、
a)外側カバーと、
b)該外側カバーに重ねられる体側ライナーと、
c)前記外側カバーと前記体側ライナーとの間に配置され、一対の長手方向の縁を含む吸収性コアと、
d)一対の脚部収納ガスケットと、を備え、
該脚部収納ガスケットの各々は、中央寄りの縁と、外側寄りの縁と、幅と、厚さと、使用時において着用者の体と接触する関係にあるように構成されている体側に面する表面と、弛緩状態のときに前記脚部収納ガスケットにギャザーを形成するように構成される少なくとも１つの細長い弾性部材と、を含み、前記外寄りの縁が、取り付け幅に沿って前記吸収性物品の前記長手方向側部に取り付けられており、前記中央寄りの縁は、前記吸収性物品の少なくとも前記股部分において、非取り付け幅に沿って前記長手方向側部に取り付けられていない状態となっており、前記吸収性物品の前記股部分における前記脚部収納ガスケットの前記取り付け幅は、前記脚部収納ガスケットのそれぞれの前記幅の少なくとも６０％であり、
e)少なくとも１つのウエスト収納ガスケットが設けられており、
該ウエスト収納ガスケットは、内側縁と、外側縁とを備え、体側表面が，使用時において、前記着用者の体と接触する関係にあるように構成されており、前記外側縁は、前記吸収性物品に取り付けられており、前記内側縁は、前記ウエスト収納ガスケットの長さの少なくとも１部に沿って前記吸収性物品から離れて取り付けられていない状態のままであることを特徴とする吸収性物品。
【請求項３】
前部分と、後部分と、該前部分と後部分との間に延びて、該前部分を後部分に接続する股部分とを備え、一対の長手方向の側部を有する吸収性物品において、
a)外側カバーと、
b)該外側カバーに重ねられる体側ライナーと、
c)前記外側カバーと前記体側ライナーとの間に配置され、一対の長手方向の縁を含む吸収性コアと、
d)一対の脚部収納ガスケットと、を備え、
該脚部収納ガスケットの各々は、中央寄りの縁と、外側寄りの縁と、幅とを有し、前記外寄りの縁が取り付け幅に沿って前記吸収性物品の前記長手方向側部に取り付けられており、前記中央寄りの縁は、前記吸収性物品の少なくとも前記股部分において、非取り付け幅に沿って前記長手方向側部に取り付けられていない状態となっており、前記吸収性物品の前記股部分における前記脚部収納ガスケットの前記取り付け幅は、前記脚部収納ガスケットのそれぞれの前記幅の少なくとも６０％であり、
e)少なくとも１つのウエストフラップが設けられており、
該ウエストフラップは、前記吸収性物品に取り付けられている近い方の縁と、遠い方の縁と、を含み、前記遠い方の縁は、前記脚部収納ガスケットの各々における前記中央寄りの縁に重なるように構成されており、前記脚部収納ガスケットの前記中央寄りの縁の間で前記吸収性物品の前記体側ライナーから離れて取り付けられていない状態のままであり、前記各脚部収納ガスケットの各々は、前記中央寄りの縁において、前記ウエストフラップの前記遠い方の縁を前記体側のライナーから離れた関係に維持するように構成されたことを特徴とする吸収性物品。
【請求項４】
前記少なくとも１つのウエストフラップは液体不透過性であることを特徴とする請求項２又は請求項３に記載の吸収性物品。
【請求項５】
前記少なくとも１つのウエストフラップは不織積層材料からなることを特徴とする請求項２又は請求項３に記載の吸収性物品。
【請求項６】
前記少なくとも１つのウエストフラップは、該少なくとも１つのウエストフラップの前記遠い方の縁に沿って配置された少なくとも１つの弾性要素を含むことを特徴とする請求項２から請求項５までのいずれか１項に記載の吸収性物品。
【請求項７】
前記吸収性コアにおいて、前記吸収性物品の前記股部分における股の幅が7.6センチメートルを超えないことを特徴とする請求項１から請求項６までのいずれか１項に記載の吸収性物品。
【請求項８】
前記脚部収納ガスケットのそれぞれの前記厚さは、少なくとも１．０ミリメートルであることを特徴とする請求項１から請求項７までのいずれか１項に記載の吸収性物品。
【請求項９】
前記吸収性物品の前記股部分における前記脚部収納ガスケットの各々の前記取り付け幅は、前記脚部収納ガスケットの前記幅の少なくとも７５％であることを特徴とする請求項１から請求項８までのいずれか１項に記載の吸収性物品。
【請求項１０】
前記脚部収納ガスケットの各々の前記幅は、少なくとも1.0センチメートルであることを特徴とする請求項１から請求項９までのいずれか１項に記載の吸収性物品。
【請求項１１】
前記吸収性物品の前記股部分における前記脚部収納ガスケットの各々の前記取り付け幅は、少なくとも1.0センチメートルであることを特徴とする請求項１から請求項９までのいずれか１項に記載の吸収性物品。
【請求項１２】
前記吸収性物品の前記股部分における前記脚部収納ガスケットの各々の前記非取り付け幅は、少なくとも１ミリメートルであることを特徴とする請求項１から請求項９までのいずれか１項に記載の吸収性物品。
【請求項１３】
前記脚部収納ガスケットの各々における前記中央寄りの縁は、前記吸収性コアの前記長手方向の縁より外側に配置されていることを特徴とする請求項１から請求項１２までのいずれか１項に記載の吸収性物品。
【請求項１４】
前記脚部収納ガスケットの各々における前記中央寄りの縁と前記吸収性コアの前記長手方向の縁との間の空間は少なくとも0.5センチメートルであることを特徴とする請求項１３に記載の吸収性物品。
【請求項１５】
前記脚部収納ガスケットの各々は、前記体に面する表面の少なくとも３０％が、使用時において前記着用者の体に接触する関係にあるように構成されていることを特徴とする請求項１から請求項６までのいずれか１項に記載の吸収性物品。
【請求項１６】
前記脚部収納ガスケットの各々は、使用時において、前記着用者の体と少なくとも３４平方センチメートルの面積で接触するように構成されていることを特徴とする請求項１から請求項６までのいずれか１項に記載の吸収性物品。
【請求項１７】
前記脚部収納ガスケットの各々における前記中央寄りの縁が、人体排泄物を収めるチャネルを形成するようになっていることを特徴とする請求項１から請求項１６までのいずれか１項に記載の吸収性物品。
【請求項１８】
前記脚部収納ガスケットの各々の少なくとも一個の弾性部材が、前記脚部収納ガスケットに取り付けられる前に少なくとも１５０％伸ばされることを特徴とする請求項１から請求項１７までのいずれか１項に記載の吸収性物品。
【請求項１９】
前記脚部収納ガスケットの各々が、前記吸収性物品の前記長手方向の側部に取り付けられる前に、少なくとも１０％伸ばされることを特徴とする請求項１から請求項１７までのいずれか１項に記載の吸収性物品。
【請求項２０】
前記脚部収納ガスケットの前記少なくとも１つの弾性部材は、少なくとも１つのリクラ（Lycra登録商標）ストランドからなることを特徴とする請求項１から請求項１９までのいずれか１項に記載の吸収性物品。
【請求項２１】
前記脚部収納ガスケットの各々は、
i)前記脚部収納ガスケットの前記体に面する表面を形成する表面層と、
ii)該表面層と面する関係に配置される基材層と、
からなり、
iii)前記少なくとも１つの細長い弾性部材は、前記表面層と前記基材層との間に配置されて、これらのうち少なくとも１つに取り付けられている、
ことを特徴とする請求項１から請求項２０までのいずれか１項に記載の吸収性物品。
【請求項２２】
前記脚部収納ガスケットの各々における前記表面層は、通気結合された複合スパンボンドウェブを含むことを特徴とする請求項２１に記載の吸収性物品。
【請求項２３】
前記脚部収納ガスケットの各々における前記基材層は、前記吸収性物品の前記外側カバーによって形成されていることを特徴とする請求項２１又は請求項２２に記載の吸収性物品。
【請求項２４】
前記脚部収納ガスケットの各々は、少なくとも５０ミリグラムのガーレイ剛性を有することを特徴とする請求項１から請求項２３までのいずれか１項に記載の吸収性物品。
【請求項２５】
前記脚部収納ガスケットの各々は、少なくとも１００ミリグラムのガーレイ剛性を有することを特徴とする請求項１から請求項２３までのいずれか１項に記載の吸収性物品。
【請求項２６】
前記吸収性物品の前記長手方向の側部は平行な関係にあり、前記吸収性物品にほぼ長方形の形状を形成することを特徴とする請求項１から請求項２５までのいずれか１項に記載の吸収性物品。
【請求項２７】
前記脚部収納ガスケットの各々は、使用時において、前記吸収性コアを着用者の体から離すように構成されていることを特徴とする請求項１から請求項２６までのいずれか１項に記載の吸収性物品。
【発明の詳細な説明】
発明の背景
発明の分野
本発明は、収納ガスケットを含む吸収性物品に関する。より詳細には、本発明は、人体からの排泄物の漏れを防ぐように着用者の体に対しシールを形成する収納ガスケットを形成するために複合材料を使用する吸収性物品に関する。本発明は、人体からの排泄物を含むようにバリヤとさらに空隙容積を形成するための、収納ガスケットと少なくとも一つウエストのフラップとを含む吸収性物品に関する。
関連技術の説明
おむつ、幼児トイレ訓練用または失禁用衣類のような吸収性物品では、着用者に密着して心地の良いフィット性を与えることと、人体からの排泄物を含むことのいずれもが望まれる。吸収性物品は、一般的に脚およびウエスト開口部に弾性部分を有し、着用者に改善されたフィット性を与え、人体排泄物を含むようになっている。例えば、従来の吸収性物品は、一般的に、脚およびウエスト開口領域に配置された弾性ストランドを用いて、吸収性物品にギャザーを形成し、着用者の体に対し吸収性物品を保持するようになっている。しかしながら、このような弾性化された部分を有する吸収性物品は、通常着用者が吸収性物品に圧縮力をかけると脚およびウエストでうまく作用しない、すなわち漏れてしまっていた。
一般的に、脚およびウエストでの漏れは、様々な理由のためである。例えば、従来の吸収性物品は一般的に、股部分において比較的小さな吸収容量と比較的小さな間隙容積容量とを有する。本明細書に使用される、“間隙容積”とは、使用時において吸収性物品と着用者との間に作り出される間隙容積のことをいう。このような間隙容積は、人体排泄物を収納し、特に固形物と半固形物の人体排泄物を収納することが望まれる。比較的小さな吸収容量と小さな間隙容積を有するこのような従来の吸収性物品の股部分は、飽和しはじめ、吸収性物品の体側に面する表面に人体の排泄物が過剰に溢れることになる。溢れた排泄物は、次いで圧縮力が着用者にからかけられると、吸収性物品の脚開口部から漏れることになる。このような漏れは、着用者の外側衣類または寝具を汚すので好ましいものではない。
さらに、吸収性物品の脚およびウエスト開口領域の不十分な捩れ剛性、すなわち堅さのために、着用者が吸収性物品に圧縮力をかけたときに脚およびウエスト開口部のまわりに漏れが発生する。一般的に脚およびウエスト開口領域に使用される弾性部分が十分な剛性を有しておらず、着用者の身体に接触するのは比較的小さな領域しか形成されなかった。このような低剛性と最小の接触とのために、好ましくない量の漏れが発生することになった。
流体の漏れを減少させようとする試みでは、弾性脚部およびウエストギャザーと組み合わされる収納フラップのような物理的なバリヤを設けることを含んでいた。高吸収性粒子も吸収性構造に含まれてきており、吸収性物品の様々な領域において、流体保持容量を高めるようになっている。
しかしながら、このような試みでは、吸収性物品において、特に狭い幅の股部分を有する吸収性コアを含む吸収性物品において、漏れの量を十分に減少させることができなかった。収納フラップ、弾性脚部およびウエストギャザーを付加することは、漏れを減少させる助けとなるが、このような吸収性物品は依然として好ましくない量の漏れを発生させることになった。さらに、一般的な弾性脚部およびウエストギャザーが十分に柔軟ではなく、着用者の皮膚に刺激を与えようとした。さらに、使用される多くの収納フラップでは十分に剛性ではなく、使用中に破れる傾向にあった。収納フラップは、また吸収性物品の体側の面から十分に離れていない状態のままであり、糞便のような人体からの固形排泄物を含む間隙容積容量を有効に形成することができなかった。
改善された吸収性物品を開発しようとする試みにもかかわらず、圧縮力を受けた状態で人体の排泄物をより有効に含む吸収性物品が依然として必要とされている。人体からの排泄物をより有効に含むように柔軟で、適合したシールを着用者の脚部およびウエストのまわりに有効に形成できる吸収性物品が必要とされる。さらに、一般的な荷重状態で、十分な間隙容積を維持できる吸収性物品が必要とされる。
本発明の概要
上述したような困難性と問題に答えて、人体排泄物を含むように脚部収納ガスケットと十分な間隙容積とを有する新規な吸収性物品が発見された。
１態様において、本発明は、脚開口領域において一対の柔軟な脚部収納ガスケ．ツトを含む独特の吸収性物品を提供する。吸収性物品は、前部分、後部分、前部分と後部分との間を延び、前部分を後部分に接続する股部分と、一対の長手方向の側部分とを含む。吸収性物品は、外側カバーと、該外側カバーに重ねられる体側ライナーと、外側カバーと体側ライナーとの間に配置されており、一対の長手方向の縁を有する吸収性コアとを備える。
吸収性物品は、さらに、中央寄りの縁、外側寄りの縁、幅、厚さ、使用中に着用者の体と接触する関係となるように構成されている体に面する面と、弛緩状態で脚部収納ガスケットにギャザーを形成するように構成されている少なくとも１つの細長い弾性部材とを有する一対の脚部収納ガスケットを備える。脚部収納ガスケットの各々の外側寄りの縁が、取り付け幅に沿って吸収性物品の長手方向の側部分に取り付けられている。脚部収納ガスケットの各々の中央寄りの縁は、非取り付け幅に沿って、吸収性物品の少なくとも股部分における長手方向の側部から離れて取り付けられていない状態のままである。吸収性物品の股部分における各脚部収納ガスケットの取り付け幅は、各脚部収納ガスケットの全幅の少なくとも約３０パーセントである。詳細な態様において、吸収性コアが吸収性物品の股部分において約７．０８センチメートル未満の小さい股の幅を有する。
脚収納ガスケットのそれぞれが、脚部収納ガスケットの体側に面する面を形成する表面層と、該表面層に面する関係に配置される基材層と、表面層と基材層との間に配置され、少なくともこれらのいずれか一方に取り付けられている少なくとも１つの細長い弾性部材と、を備えていればよい。細長い弾性部材は、弛緩状態のときに、脚部収納ガスケットにギャザーを形成する。詳細な態様において、脚部収納ガスケットの各々の中央寄りの縁が吸収性コアの長手方向の縁の外側寄りに配置されている。
さらに別の態様において、吸収性物品は、また内側縁、外側縁と、それぞれの幅に沿って延びており、使用時において着用者の体と接触する関係にあるように構成されている体側表面と、を有する一対のウエスト収納ガスケットを備える。ウエスト収納ガスケットのそれぞれの外側縁が、吸収性物品に取り付けられており、ウエスト収納ガスケットのそれぞれの内側縁がウエスト収納ガスケットの長さの少なくとも一部に沿って吸収性物品から取り付けられていない状態のままである。
別の態様において、本発明は、前部分、後部分、該前部分と後部分との間を延びており、該前部分を後部分に接続する股部分と、一対の長手方向の側部分とを含む吸収性物品を提供する。吸収性物品は、外側カバーと、該外側カバー上に重ねられている体側ライナー、外側カバーと体側ライナーとの間に配置されている吸収性コアと、一対の脚部収納ガスケットと、を備える。各脚部収納ガスケットは、中央寄りの縁、外側寄りの縁、および幅を含む。各脚部収納ガスケットの外側寄りの縁が吸収性物品の長手方向の側部に取り付けられており、脚部収納ガスケットのそれぞれの中央寄りの縁が、吸収性物品の少なくとも股部分において吸収性物品の長手方向の側部から離れて取り付けられない状態のままである。吸収性物品は、さらに該吸収性物品に取り付けられている近い方の縁と、脚部収納ガスケットの中央寄りの縁の間に吸収性物品の体側ライナーに取り付けられていない状態のままの遠い方の縁と、を含む少なくとも１つのウエストフラップを備える。
ウエストフラップの遠い方の縁は、脚部収納ガスケットのそれぞれの中央寄りの縁と重なる。脚部収納ガスケットのそれぞれの中央寄りの縁は、体側ライナーと吸収性物品の吸収性コアから離れた状態でウエストスラップの遠い方の縁を維持するように構成されている。特定の態様において、脚部収納ガスケットのそれぞれの中央寄りの縁が吸収性コアの長手方向の縁の外側寄りに配置されている。ウエストフラップが、液体不透過性の不織積層材料から構成されていればよい。ウエストフラップは、またウエストフラップの遠い方の縁に沿って配置された少なくとも１つの弾性要素を含む。特定の態様において、ウエストフラップ内の弾性要素が脚部収納ガスケットの内寄りの縁の間に配置されている。
本発明は、着用者に適合し心地のよいフィット性を与えながら、人体からの排泄物を効率良く含むことができる脚部収納ガスケットを含む吸収性物品を形成するので有効である。脚部収納ガスケットは、着用者の体とシール状態で接触する十分な領域を形成し、人体排泄物の漏れに対し有効にシールするように構成されている。脚部収納ガスケットと吸収性物品の吸収性コアは、人体排泄物、特に固定および半固形の人体排泄物を含むように十分な間隙容積を形成するように構成されている。本発明は、脚部収納ガスケットと、人体からの排泄物を含むように付加的な間隙容積を形成するように吸収性物品の体側から離れたままであるように構成されている少なくとも１つのウエストフラップとを含む吸収性物品を提供するので有効である。その結果として、本発明の吸収性物品は、吸収性物品の吸収性コアの股セクションの幅が極めて狭いときにでも、吸収性物品の脚部およびウエスト開口部のまわりの漏れを減少させることになる。
【図面の簡単な説明】
本発明は、本発明の以下の詳細な記載と、同一の参照符合が同じ要素を示すようになっている添付の図面を参照することによって、さらに完全に理解でき、別の利点がより明白になる。図面は、単に例示にすぎず、添付の請求の範囲の範囲を限定するものではない。
図１Ａは、本発明の吸収性物品の上面図である。
図１Ｂは、脚部収納ガスケットおよびウエスト収納ガスケットが収縮されて、吸収性物品の側縁にギャザーを形成するようになっている、図１Ａの吸収性物品の斜視図である。
図１Ｃは、線１−１に沿って切られた図１Ｂの吸収性物品の横方向の断面図を表す。
図２は、本発明の脚部収納ガスケットの１例の横方向の断面図を表す。
図３Ａは、本発明の別の吸収性物品の上部平面図を表す。
図３Ｂは、脚部およびウエスト収納ガスケットが収縮し、吸収性物品の側縁にギャザーが寄せられているようになった、図３Ａの吸収性物品の斜視図を表す。
図３Ｃは、線３−３に沿って取られた図３Ｂの吸収性物品の横方向の断面図を表す。
本発明の詳細な記載
本発明は、着用者に適合し心地の良いフィット性を与えながら、人体の排泄物を有効に含むように構成されている脚部収納ガスケットを含む吸収性物品を提供する。吸収性物品は、比較的狭い股幅の寸法を有する吸収性コアを含んでおり、着用者に改善されたフィット性を与えるようになっている。さらに、吸収性物品は、人体排泄物を含む、特に固定および半固形状の人体排泄物を含む助けとなるように構成される少なくとも１つのウエストフラップを含んでいればよい。本発明の吸収性物品は、下半身のまわりに幼児が着用するようになっているおむつ物品に関して記載する。本発明の吸収性物品は、成人用失禁製品、トイレ訓練用パンツ、女性ケア製品等のような別の物品にも同じように適用できる。
図１Ａないし１Ｃは、本発明の吸収性物品２０を表す。着用者と接触する物品の表面は観察者側を向いている。図１Ａ乃至１Ｃに示すように、吸収性物品２０は、前部分２２と、後部分２４と、前部分２２と後部分２４とを接続する股部分２６とを形成する。吸収性物品２０は、体側ライナー３０、外側カバー３２、および体側ライナー３０と外側カバー３２との間に配置された吸収性コア３４とを含む。吸収性物品２０は、長手方向の中心線４６と横方向の中心線４８とを含む。本明細書で用いるように、前部分とは、使用時において一般的に着用者の前部に配置されている吸収性物品の一部であり、後部分とは、使用時において、一般的に着用者の後部に配置された物品の一部のことをいい、股部分とは、使用時において、一般的に着用者の脚部の間に配置されている部分のことをいう。
股部分２６は、一対の長手方向に延びる脚部カフス３６を含む対向する長手方向の側部２８を有する。脚カフス３６は、一般的に使用時において着用者の脚のまわりにフィットするようになっている。脚部カフス３６は、一対の脚部収納ガスケット３８を含む。吸収性物品２０は、さらに前ウエスト収納ガスケット４０と背部ウエスト収納ガスケット４２とを含む。吸収性物品２０の背部２４は、さらに使用時において吸収性物品２０を着用者のウエストまわりに保持するようになっている結合手段４４を含む。吸収性物品２０の個々の成分が吸収性物品２０の意図する使用に任意的に依存するということがわかる。
本発明の異なる態様が利用されている使い捨ておむつの特定の例は、以下の米国特許および米国特許出願に記載されている。すなわちメーヤー他に１９８９年１月１７日に付与された米国特許第４、７９８、６０３号、バーナーディンに１９９３年１月５日に付与された同第５、１７６、６６８号、プロキシマイヤ他に１９９３年３月９日に付与された同第５、１９２、６０６号およびハンソン他として１９９３年７月２２日に出願された米国特許出願番号０８／０９６，６５４号である。
図１Ａないし１Ｃに図示したような吸収性物品２０の体側ライナー３０が、着用者の体に近接して着用されるようになっており、適合して柔軟な感触であり、着用者の皮膚に刺激を与えない、体側に面する表面を表している。さらに、体側ライナー３０は吸収性コア３４よりも親水性ではなく、着用者に対し比較的乾燥した表面を与え、液体透過性であるように十分に多孔性であればよく、液体をその厚さにわたり通すことができるようになっている。適当な体側ライナー３０は、多孔性フォーム、網状フォーム、穿孔プラスチックフィルム、天然繊維（例えば、木材または綿繊維）、合成繊維（例えば、ポリエステル、またはポリプロピレン繊維）、あるいは天然繊維と合成繊維との組合せのような広い選択範囲のウェブ材料から製造されていればよい。体側ライナー３０は、吸収性コア３４において保持された流体と着用者の皮膚とを離す助けとなるように用いられるのが適切である。
さまざまな織布と不織布とを、体側ライナー３０に用いることができる。例えば体側ライナーは、ポリオレフィン繊維のメルトブローまたはスポンボンドウェブから構成されていればよい。体側ライナーは、天然または合成繊維からなる結合されカーディングされたウェブであればよい。体側ライナーは実質的に疎水性材料から構成されていればよく、疎水性材料は、処理剤で処理されてもよいし、または、そうでない場合には任意的に湿潤性および親水性を所望のレベルに与えるように処理されてもよい。本発明の特定の実施例において、体側ライナー３０は、基本重量が約２グラム／平方メートルで密度が約０．０６グラム／立方センチメートルを有するウェブに形成される約２．８から約３．２デニール繊維からなる不織スパンボンド、ポリプロピレン繊維から構成されている。この布は、ロームアンドハス・コーポレーションから登録商標名トリトン・Ｘ−１０として商業的に入手可能な約０．２８重量％の表面処理剤で処理された表面である。
図１Ａ−ｌＣに図示したように吸収性物品２０の外側カバー３２が、液体透過性または液体不透過性のいずれかの材料から適当に形成される。外側カバー３２は、実質的に液体不透過性である材料から形成されているのが、一般的に好ましい。例えば、典型的な外側カバーは、薄いプラスチックフィルムまたは可撓性の液体不透過性材料から製造できる。例えば、外側カバー３２は、約０．０１２ミリメートル（０．５ミル）から約０．０５１ミリメートル（２．０ミル）の厚さを有するポリエチレンフィルムから形成されてもよい。より布様の感触を有する外側カバー３２が望まれる場合には、外側カバー３２は、ポリオレフィン繊維のスパンボンドウェブのように、外面に積層される不織ウェブを有するポリエチレンフィルムから構成されていればよい。例えば、約０．０１５ミリメートル（０．６ミル）の厚さを有するポリエチレンフィルムは、ポリオレフィン繊維の熱的に積層されたスパンポンドウェブを有していてもよく、この繊維の厚さは約１．５から２．５デニール／フィラメントであり、不織ウェブの基本重量は約２４グラム／平方メートル（０．７オンス／平方ヤード）である。このような布様の外側カバーを形成する方法が本分野の当業者に知られている。
さらに、外側カバー３２が、吸収性コア３４に隣接するか、またはこれに近い選択された領域に対し所望のレベルの液体不透過性を与えるように全体的に、または部分的に構成されているか、または処理された織り布または不織繊維ウェブ層から形成されていればよい。さらに、外側カバー３２は、液体排泄物が外側カバー３２を通ることを防ぎながら、蒸気が吸収性コア３４から出ることのできる微孔性の“呼吸可能な”材料から任意的に構成されていればよい。
体側ライナー３０と外側カバー３２は、一般的に吸収性コア３４が配置されるポケットを形成するように相互に接着されている。体側ライナー３０と外側カバー３２とは、接着結合、音波結合または熱結合のような本分野において公知の手段によって吸収性物品２０の外周縁のまわりに相互に直接接合されてもよい。例えば、均一に連続した接着層、パターン化された接着剤層、スプレーまたはメルトブローパターンの接着剤、あるいは直線列、螺旋またはスポット接着剤が、体側ライナー３０を外側カバー３２に固定するのに用いてもよい。このような結合手段は、本発明の吸収性物品の別の成分を共に取り付けるのに適当である。体側ライナー３０と外側カバー３２の双方が、吸収性物品の外周縁にまで完全に延びている必要はないことに留意されたい。例えば、外側カバー３２は、吸収性物品の外周縁に延びていればよく、体側ライナー３０は、外周縁の内側の外側カバー３２に取り付けられているか、もしくは吸収性物品の長手方向の中心線４６の方により向いて取り付けられていてもよい。
脚カフス３６は、外側カバー３２の一部、または体側ライナー３０によって適切に形成されており、吸収性コア３４の長手方向の側部を越えて延びている。脚部カフス３６は外側カバー３２または体側ライナー３０に取り付けられ別個の材料から形成することができる。
図１Ａ乃至１Ｃに示されているように、吸収性コア３４は、体側ライナー３０と外側カバー３２との間に配置されており、吸収性物品２０を形成するようになっている。吸収性コア３４は、一般的に適合し、液体排泄物を吸収し保持することができる。吸収性コア３４は、股セクション５０と長手方向の側部５４とを有する。
吸収性コア３４は、様々な形状と大きさを有していてもよい。例えば、複合吸収性コアは長方形、Ｉ字形状またはＴ字形状でもよい。吸収性コア３４の大きさと吸収容量は、意図する着用者の大きさと、吸収性物品の意図する使用によって得られる流体荷重と一致していなければならない。吸収性コア３４は、前部または後部セクションよりも吸収性コア３４の股セクション５０の方が狭いことが好ましい。本発明の吸収性コア３４は、吸収性コア３４の股セクション５０の股幅寸法５２が約２．５から約１０．２センチメートル（１．０から約４．０インチ）、好ましくは約７．６センチメートル（３．０インチ）を越えない、より好ましくは約５．１センチメートル（２．０インチ）を越えないときに、特に有効である。吸収性コア３４の股セクション５０の股幅寸法５２が狭いために、吸収性物品２０は着用者の脚部の間でより十分にフィットさせることができる。
吸収性コア３４は、様々な種類の湿潤性、親水性繊維材料から構成できる。適当な材料の例が、セルロース繊維のような本質的に湿潤可能な材料からなる自然に発生した有機繊維、レーヨン繊維のような、セルロースまたはセルロース派生物からなる合成繊維、ガラス繊維のように本質的に湿潤可能な材料からなる無機繊維、特定のポリエステルおよびポリアミド繊維のような本質的に湿潤可能な熱可塑性ポリマーから形成される合成繊維、ポリプロピレン繊維のような非湿潤性熱可塑性ポリマーからなる合成繊維を含み、これらは本分野において知られているように適当な手段によって親水性になっている。吸収性コア３４は、上述に記載した様々な種類の繊維の選択された混合物から構成されてもよい。
本発明の特定の態様において、吸収性コア３４は、セルロース繊維のウェブのような親水性繊維のマトリックスを、超吸収性材料として一般的に知られているような高吸収性材料の粒子と混合されて含んでいてもよい。本明細書に用いるように、“高吸収性材料”とは、液体で、それ自身の重量の少なくとも１０倍吸収できる材料のことをいう。特定の実施例において、吸収性コア３４は、超吸収性ヒドロゲル−形成粒子および木材パルプフラフの混合物からなる。木材パルプフラフは、合成、ポリマー、メルトブロー繊維と、あるいはメルトブロー繊維および天然繊維との組合せと交換してもよい。高吸収性材料は、実質的に親水性繊維と均質に混合されてもよいし、もしくは不均等に混合されてもよい。高吸収性材料は、親水性繊維のマトリックス内で一般的に別個の層で構成される。あるいは、吸収性コア３４は、繊維ウェブと高吸収性材料の積層、もしくは高吸収性材料を局所的な領域に維持するための他の適合な手段から構成されていてもよい。
高吸収性材料は、天然、合成および変性された天然ポリマーおよび材料から選択できる。高吸収性材料は、シリカゲルのような有機化合物、または架橋されたポリマーのような無機材料とできる。“架橋された”とは、通常の水溶性材料を有効に、実質的に水溶性にするが膨潤性する手段のことをいう。このような手段は、例えば、物理的な交絡、結晶ドメイン、共有結合、イオン錯体およびイオン会合、水素結合のような親水性会合および疎水性会合またはファンデルワールス力を含むことができる。
合成、ポリマー高吸収性材料の例では、アルカリ金属、ポリ（アクリル酸）およびポリ（メタクリル酸）のアンモニウム塩、ポリ（アクリルアミド）、ポリ（ビニール・エーテル）、ビニールエーテルとアルファ−オレフィンとの無水マレイン酸コポリマー、ポリ（ビニール・ピロリジン）・ポリ（ビニール・モルホリン）、ポリ（ビニール・アルコール）およびこれらの混合物とこれらのコポリマーを含む。さらに吸収性コアに使用するのに適するポリマーは、水素化されたアクリルニトリル・グラフト・スターチ、アクリル酸グラフトスターチ、ミチルセルロース、カルボキシメチル・セルロース、ヒドロキシプロピル・セルロースおよびアルギン酸、キサンガム、ローカストビーンガム、等のような天然ゴムを含む。天然および完全にまたは部分的に合成吸収性ポリマーの混合物が本発明に有効である。
高吸収性材料は、様々な範囲の幾何形状であればよい。一般的な規則として、高吸収性材料は離散粒子の形状であるのが好ましい。しかしながら、高吸収性材料は、繊維、フレーク、ロッド、球形、ニードル等の形状でもよい。高吸収性材料の団塊粒子を用いてもよい。本発明に使用するのに適した超吸収性ポリマーの例は、バージニア州、ポーツマウス在住のホエスト・セラネセから商業的に入手可能である超吸収性ポリマーである。別の適当な高吸収性材料は、ミシガン州ミッドランド在住のダウケミカル社から商業的に入手可能な超吸収性ポリマーを含んでいてもよい。
一般的な規則として、高吸収性材料は、本発明の吸収性コア３４内に、吸収性コアの全重量の基づいて約５から約９５重量％、好ましくは約１０から６０重量％の量で存在する。吸収性コア３４の異なる部分内の高吸収性材料の分布は、吸収性材料３４の意図する目的の使用に基づき変えることができる。
結合手段４４が、吸収性物品２０の後部２４のコーナに一般的に付与されており、吸収性物品２０を着用者に保持する手段を提供するようになっている。適当な結合手段４４は、本分野の当業者には公知であり、テープタブファスナー、フックおよびループファスアンー、マッシュルームおよびループファスナー、スナップ、ピン、ベルト等、およびこれらの組合せを含むことができる。一般的に、結合手段４４は、再結合可能であるように構成されている。所定の設計構造を有する吸収性物品に結合手段を施すことも可能であることがわかる。
図１Ａ乃至図１Ｃに示すように脚カフス３６は、脚部収納ガスケット３８を含む。ウエスト収納ガスケット４０と４２も設けられている。脚部収納ガスケット３８は、着用者の動作によって発生する外部力に抵抗し、着用者の脚と有効に接触する関係を維持するように適合するのに十分剛性であり、吸収性物品２０からの人体排泄物の漏れを有効に減らしたり、回避するようになっている。さらに脚部収納ガスケット３８は、吸収性物品２０と使用時の着用者の人体との間に十分な間隙容積を形成するように構成されている。
図１Ａ乃至図１Ｃおよび図２に図示するように、脚部収納ガスケット３８は、中央寄りの縁６６、外側寄りの縁６８、幅７０及び厚さ７２とを含む。本明細書に用いるように、“外側寄りに”とは、吸収性物品２０の長手方向の中心線４６からより離れており、“中央寄りに”とは、吸収性物品２０の長手方向の中心線４６により近接した場所のことをいう。収納ガスケット３８のそれぞれは、使用時において、着用者の体と接触する関係にあるように構成されている体に面する表面８２を含んでいる。各脚部収納ガスケット３８のそれぞれの体に面する表面８２が、一般的に幅７０と脚部収納ガスケット３８の長さとに沿って延びている。脚部収納ガスケット３８のそれぞれは、弛緩状態のときに脚部収納ガスケット３８にギャザーを寄せるように構成される少なくとも一つの細長い弾性部材も含む。
脚部収納ガスケット３８は、所望の形状および構造である。適切な形状は、例えば、円形、半円形、長方形、三角形、台形、楕円形、犬の骨形、砂時計または卵形を含む。好ましくは、脚部収納ガスケット３８は、使用時において、着用者の人体と接触する関係にある十分な大きさの表面積を形成し、人体排泄物をより収納できるシールを形成する。例えば、各脚部収納ガスケット３８の体に面する表面８２の少なくとも約３０％、好ましくは少なくとも約６０％、より好ましくは、少なくとも約８０％、さらに好ましくは少なくとも約９５％が、使用時において着用者の体と接触する関係にあるように構成されている。さらに、各脚部収納ガスケット３８は、改善された性能のためには、使用時において着用者の人体と少なくとも約３４平方センチメートル、好ましくは少なくとも約６５平方センチメートル接触するように構成されている。
一般的に、脚部収納ガスケット３８の幅７０は、少なくとも約１．０センチメートル、好ましくは約１．５から約３．２センチメートル、より好ましくは約１．９から約３．０センチメートルであり、着用者の脚のまわりに改善されたガスケットまたはシールを形成するようになっている。脚部収納ガスケット３８は、吸収性物品２０の全長に沿って長手方向に延びていてもよいし、もしくは、吸収性物品２０の長さ方向に沿って部分的にのみ延びていてもよい。脚部収納ガスケット３８が脚部収納ガスケット物品２０よりも長さにおいて短い場合には、脚部収納ガスケット３８は、脚部収納ガスケット物品２０の長手方向の側部に沿って選択的に配置できる。本発明の特定の態様において、脚部収納ガスケット３８は、吸収性物品２０の主に股部分２６において長手方向の側部２８に沿って配置されている。各脚部収納ガスケット３８は、また６、９００ダイン／平方センチメートルの荷重を受けた状態で少なくとも約１ミリメートル、好ましくは少なくとも約２ミリメートル、より好ましくは約３から１０ミリメートルの厚さを有しており、人体排泄物の横方向の流れに対し、改善されたシールとバリヤとを形成するようになる。
各脚部収納ガスケット３８は、脚部収納ガスケット物品２０の長手方向の側部２８に取り付けられており、チャネルが人体からの排泄物を含むように形成される。各脚部収納ガスケット３８それぞれの外側寄りの縁６８が、吸収性物品の長手方向の側部２８に取り付けられており、脚部収納ガスケット３８のそれぞれの中央寄りの縁６６は、吸収性物品２０の少なくとも股部分２６において長手方向の側部２８とは結合されない状態のままである。脚部収納ガスケット３８は、本分野における当業者に公知のいくつかの方法で吸収性物品２０に取り付けられている。例えば、ガスケットは、脚部収納ガスケット物品２０に超音波結合されてもよいし、熱結合もしくは接着剤で結合されてもよい。各脚部収納ガスケット３８の中央寄りの縁６６は吸収性物品２０の長手方向中心線４６に対し一般的に平行である。各脚部収納ガスケット３８の中央寄りの縁６６は、脚部収納ガスケット３８の各々の外側寄りの縁６８よりも長手方向の中心線４６により近接している。
図１Ｃに示すように、各脚部収納ガスケット３８の外側寄りの縁６８は、取り付け幅８６に関し吸収性物品２０の長手方向の側部２８に取り付けられている。さらに、各脚部収納ガスケット３８の中央寄りの縁６６は、非取り付け幅８４に対し吸収性物品２０の少なくとも股部分２６において長手方向の側部２８に取り付けられていない状態のままとなっており、切取り部を形成する。特定の態様において、各脚部収納ガスケット３８の中央寄りの縁は、脚部収納ガスケット３８の全長に沿って長手方向の側部２８から取り付けられないままであり、改善された性能を与えるようになっている。取り付け幅８６が、脚部収納ガスケット３８の体に面する表面８２の所望の部分が使用時において着用者の体と接触した関係のままであり、人体排泄物の漏れを減少させるように所望のシールを形成する。特定の態様において、取り付け幅８６は、脚部収納ガスケット３８の全幅７０の少なくとも約３０％であり、好ましくは少なくとも約６０％であり、より好ましくは少なくとも約７５％であり、さらに好ましくは少なくとも約９０％である。例えば、脚部収納ガスケット３８の取り付け幅８６は、少なくとも約１．０センチメートル、好ましくは少なくとも約１．４センチメートル、より好ましくは少なくとも約１．４から１．６センチメートルである。好ましくは、取り付け幅８６は、着用者と接触して適切にシールすることを確実にするように非取り付け幅８４よりも大きい。
各脚部収納ガスケットは、脚部収納ガスケット３８の中央寄りの縁６６が、使用時において体側ライナー３０と吸収性物品２０の外側カバー３２から離れていればよい。図１Ｃに示すように、各脚部収納ガスケット３８の中央寄りの縁６６が使用時において体側ライナー３０と外側カバー３２とから離れているのが好ましく、このためにチャネル７４と７６を形成し、人体排泄物を有効に含むようになる。チャネル７４と７６を形成するために、脚部収納ガスケット３８の非取り付け幅８４は少なくとも約１ミリメートル、好ましくは少なくとも約２ミリメートル、より好ましくは約２から約８ミリメートルである。各脚部収納ガスケット３８の非取り付け幅８４と剛性とが、各脚部収納ガスケット３８の体側面８２が、着用者の体と接触する関係を維持し、体側ライナー３０、外側カバー３２および吸収性コア３４が着用者の体から離れることを確実にする。
図１Ｃに示すように、各脚部収納ガスケット３８の各々の中央寄りの縁６６が吸収性コア３４の長手側部５４の外寄りに距離５６だけ離れて配置されている。脚部収納ガスケット３８のそれぞれの中央寄りの縁６６を、吸収性コア３４の長手方向の側部５４の外寄りに配置することによって、保持領域７８、８０が吸収性コア３４の両側に配置される。保持領域７８と８０は、チャネル７４と７６とに関連して、人体排泄物を含むための間隙容積を形成するように作用し、吸収性物品の性能を改善する。脚部収納ガスケット３８のそれぞれの中央寄りの縁６６と、吸収性コア３４の長手方向の側部５４との間の空隙距離５６が、空隙容積を形成して人体排泄物を含むのに十分でなければならない。例えば、吸収性物品２０が平坦で、引張力がかかっていない形状で広げられるときの空隙距離５６は、所望の収納を行なうためには、少なくとも約０．５センチメートル、好ましくは約１．０から約４．０センチメートルであり、さらに好ましくは約２．０から約３．０センチメートルである。
各脚部収納ガスケット３８は、吸収性物品２０の長手方向の側部２８に取り付けられる前に延ばされてもよい。例えば、脚部収納ガスケット３８が、弛緩状態で吸収性物品２０の長手方向側部２８にギャザーを寄せるように取り付けられる前に、脚部収納ガスケット３８が少なくとも約１０％、好ましくは約２０から約８０％延ばされればよい。図１Ａから２に示すように、本発明の脚部収納ガスケット３８は、特に高剛性または捩れ剛性を有しており、着用者の人体に対し所望のシールを形成して人体からの排泄物をより有効に含むようになっている。例えば、特定の実施例において、脚部収納ガスケット３８は、少なくとも５０ミリグラム、好ましくは少なくとも約１００ミリグラム、より好ましくは約１００から約１１００ミリグラムと、さらにより詳細には約３００から１１００ミリグラムのガーレイ剛性を有する。本明細書に用いるように“ガーレイ剛性”とは、例に関して以下に記載する“ガーレイ剛性試験”に従って得られた剛性値のことをいう。
脚部収納ガスケット３８の物理的な特性は、着用者が吸収性物品に圧縮力をかけるときに人体排泄物の漏れを防ぐようになっている。特に、脚部収納ガスケット３８の剛性は、漏れを導いてしまう吸収性物品の脚部開口がねじれと束になることを防ぐ。さらに、脚部収納ガスケット３８の弾性および一致性によって、脚部収納ガスケット３８の体側の面８２が、着用者の体に対し適切なシールを行なうことを確実にする。本発明の異なる態様の脚部収納ガスケットの、厚さおよび、剛性のような物理的特性は、体側のライナー３０、外側カバー３２および吸収性コア３４とが使用時において着用者の体から離れるように間隔を離すように機能する。従って、間隙容積が、着用者の体、吸収性物品２０の体側ライナー３０、吸収性コア３４との間に作られ、人体排泄物を含むようになっている。
脚部収納ガスケット３８は所望の特性を形成する材料から作ることができる。図２は、本発明の脚部収納ガスケット３８の１態様の横方向の横断面図を表す。脚部収納ガスケット３８は、表面層６０と少なくとも１つの弾性部材６４とを含む。表面層６０は、脚部収納ガスケット３８の体に面する表面８２を形成するように構成されている。弾性部材６４が、表面層６０に取り付けられており、弛緩したときに脚部収納ガスケット３８にギャザーを寄せるように構成されている。次いで、表面層６０と弾性部材６４との複合物が図１Ａ乃至１Ｃに示すように、吸収性物品２０の長手方向の側部２８に取り付けられてもよい。例えば、複合物が、吸収性物品２０の体側ライナー３０もしくは外側カバー３２に取り付けられてもよい。
図２に示すように、各脚部収納ガスケット３８は、基材層６２を含む。基材層６２は、該基材層６２と表面層６０との間に配置された弾性部材６４を備えた表面層６０と面する関係に配置されていればよい。このような構造において、基材層６２は、吸収性物品２０の長手方向の側部２８に取り付けられている。表面層６０と基材層６２とは、脚部収納ガスケット３８が所望の全体幅７０を有してれば、同一の寸法を有している必要はない。
多くの異なる材料が表面層６０として用いるのに適している。例えば、表面層６０は、基本重量が約１５から約１８０グラム／平方メートル、好ましくは約５０から約１２０グラム／平方メートルである高ロフト不織材料から構成できる。表面層６０は、６、９００ダイン／平方センチメートル（０．１ポンド／平方インチ）の圧力を受けた状態で、少なくとも０．６７ミリメートルの厚さと、約０．０２から約０．０３グラム／立方センチメートルの密度を有していればよい。
特定の実施例において、表面層６０は、約１５から約３０ミクロンの径を有する複合繊維を含むスパンボンド繊維不織ウェブであればよい。複合繊維は、ポリオレフィンまたはポリオレフィンおよびポリエステルの混合物のようなポリマーから形成すればよい。例えば、表面層６０は、ポリエチレン／ポリプロピレン複合繊維を含む通気結合された複合スパンボンドウェブを含んでいてもよい。表面層６０は、綿、レーヨン、木材パルプ、本質的に湿潤可能な剛性ポリマー、親水化された、または表面処理されたポリマー等のような別の材料を含んでいてもよい。表面層６０は、別の非湿潤性材料および疎水性である材料を含んでいてもよい。
脚部収納ガスケット３８は、基材層６２を含む場合には、該基材層６２は、フィルムあるいは、通気結合されるか、もしくは点結合されたスパンボンドウェブまたはカーディングされたウェブのような不織ウェブを含んでいてもよい。一般的に、基材層６２は、表面層６０よりも低い嵩性、すなわち厚さとより大きな密度を有する。例えば、基材層６２は、表面層６０に用いるような複合繊維を含む通気結合されたスパンボンドウェブを含んでいればよい。基材層６２は、イリノイ州スコムバーグ在住のコンソリデート・サーモプラスチック社から登録商標ＬＳＦ−２２として商業的に入手可能な０．５ミルの厚さのポリエチレンフィルムのようなポリマーフィルムも含んでいてもよい。本発明の特定の態様において、基材層６２は、吸収性物品２０の外側カバー３２により設けられており、弾性部材６４と表面層６０が吸収性物品２０の長手方向の側部２８に沿って外側カバー３２に取り付けられる。
脚部収納ガスケット３８の弾性部材６４として用いるのに適する材料が、本分野の当業者に知られている。このような材料の例は、ポリマー、エラストマー材料からなるシート、ストランドまたはリボンであり、弾性収縮力が層に与えられるように伸張状態で表面層６０または基材層６２に取り付けられ、層にプリーツが寄せられる。弾性部材６４は、ポリウレタン、合成および天然ゴムのような材料を含んでいてもよい。本発明の特定の態様において、弾性部材６４は、デラウェア州ウィルミントン在住のＥ．Ｉ．デュポン・デュ・ニューモールス・コーポレーションから商業的に入手可能な９４０デシテックス・リクラの個々のストランドから構成されている。脚部収納ガスケット３８は、約１から約１０、好ましくは幅センチメートルあたり少なくとも約６個の弾性部材を含む。表面層６０または基材層６２に取り付けられる前に弾性部材６４が伸ばされてもよい。例えば、弾性部材６４は、該弾性部材６４が弛緩状態のときに脚部収納ガスケット３８にギャザーを形成するように、取り付け前に少なくとも約１５０％、好ましくは約２００から約５００％伸びればよい。
表面層６０、弾性部材６４、および任意的に基材層６２が、本分野における当業者に知られているような手段で共に結合され、脚部収納ガスケット３８を形成するようになっている。例えば、接着、熱または超音波結合の技術を、層を共に結合するのに用いてもよい。適当な接着剤は、ウィスコン州ワウアトサに在住のファインドリー・アドヘシブ社から商業的に入手可能なファインドリー・Ｈ−２０９６ホットメルト接着剤を含む。
特定の態様において、本発明の異なる態様の脚部収納ガスケット３８が、イエオ他により１９９４年９月３０日に出願された米国特許出願番号第０８／３１６、１８５号に記載された繊維不織弾性積層材料により形成されてもよい。
図１Ａ乃至１Ｃに図示するように、本発明の吸収性物品２０は、ウエスト収納ガスケット４０および４２を含んでおり、人体排泄物が漏れないことを助ける。各ウエスト収納ガスケット４０、４２は、内側縁、外側縁およびウエストガスケット４０、４２のそれぞれの幅に沿って伸びている体側面とを含む。ウエスト収納ガスケット４０、４２のそれぞれの体側の面は、使用時において着用者の人体と接触する関係にあるように構成できる。各ウエスト収納ガスケット４０、４２の外側縁は吸収性物品２０に取り付けられており、ウエスト収納ガスケット４０、４２のそれぞれの内側縁は、ウエスト収納ガスケット４０、４２の長さの少なくとも１部に沿って吸収性物品から離れて取り付けられていない状態のままである。脚部収納ガスケット３８に類似するように、チャネルがウエスト収納ガスケット４０、４２の取り付けられていない内側縁と、体側ライナー３０と吸収性物品２０の外側カバー３２との間に設けられて、人体排泄物をより有効に含むようになっている。ウエスト収納ガスケット４０と４２は、脚部収納ガスケット３８と同じ材料に類似して構成され、同じ材料から製造される。
本発明の吸収性物品は、少なくとも１つのウエストフラップを含んでおり、人体排泄物をより有効に含むように間隙容積を形成するようになっている。図３Ａから３Ｃに図示するように、吸収性物品２０は、前部ウエストフラップ１００と後部ウエストフラップ１０２とを含んでいればよい。各ウエストフラップ１００と１０２は体側ライナー３０に取り付けられているか、もしくは吸収性物品２０の外周縁に沿って外側カバー３２に取り付けられている近い方の縁と、遠い方の縁１０８と１１０とを有しており、該遠い方の縁１０８とｌ１０とは該長さの少なくとも１部に沿って吸収性物品２０から結合されない状態のままである。ウエストフラップ１００と１０２は、該ウエストフラップ１００と１０２の遠い方の縁に沿って配置されている少なくとも１つの弾性要素１０４と１０６とを有していてもよい。
図３Ａ乃至図３Ｃを参照すると、ウエストフラップ１００と１０２の遠い方の縁１０８と１１０は、脚部収納ガスケット３８のそれぞれの中央寄りの縁６６と重なるように構成されていればよい。例えば、ウエストフラップは、該ウエストフラップが各脚部収納ガスケット３８と重なるように各脚部収納ガスケット３８の体に面する表面８２に接着剤で取り付けられていればよい。このような構造において、各ウエストフラップ１００と１０２の遠い方の縁１０８と１１０は、脚部収納ガスケット３８の中央寄りの縁６６の間で吸収性物品２０から離れた状態のままである。ウエストフラップを脚部収納ガスケットにこのような手段で取り付けることによって、ウエストフラップは、体側ライナー３０と吸収性コア３４から離れた状態に維持されている。脚部収納ガスケット３８とウエストフラップ１００および１０２との組合せによって、吸収性物品２０の全外周縁のまわりにシールを有効に形成し、人体排泄物の漏れを減少させることになる。
脚部収納ガスケット３８が、ウエストフラップを体側ライナー３０と吸収性コア３４とから離すように用いられるとき、脚部収納ガスケット３８の非取り付け幅８４は、脚部収納ガスケット３８の中央寄りの縁６６が図３Ｃに示すように上向きに曲線となるようであるのが好ましい。例えば、この構造において、非取り付け幅８４は、少なくとも約５ミリメートルであり、好ましくは約５から約８ミリメートルである。さらに、各脚部収納ガスケット３８の剛性と硬性は、使用時において体側ライナー３０と吸収性コア３４から離れた関係にウエストフラップ１００と１０２とを維持する助けとなる。
使用時において、このようなウエストフラップ１００と１０２が着用者の体と接触する関係にあるように配置される。例えば、図３Ｃに示すように、ウエストフラップ１０２と体側ライナー３０との間の間隔のあいた距離１１２と吸収性コア３４とが容積容量の領域を形成し、人体排泄物を含み、吸収性物品２０のウエスト領域を通って人体排泄物が漏れることを防ぐようになっている。間隔の開いた距離１１２は、収納に対して所望の間隙容積を形成する距離であればよい。例えば、間隔のあいた距離１１２は、少なくとも約０．１センチメートルであり、好ましくは約０．２から約１．０センチメートルである。
所望の性能を与える材料であればいかなる材料も、本発明のウエストフラップ１００と１０２として使用するのに適する。例えば、ウエストフラップ１００と１０２は、約１００から約２００グラム／平方メートルの基本重量を有する伸縮結合された積層のような不織材料から構成できる。好ましくは、ウエストフラップ１００と１０２は液体不透過性である。
ウエストフラップ１００と１０２の弾性要素１０４と１０６として使用するのに適する材料が本分野における当業者に公知である。このような材料の例は、ポリマー、エラストマー材料のストランドまたはリボンであり、弾性収縮力がウエストフラップに与えられるように、伸張した状態でウエストフラップ１００と１０２に接合されるか、もしくはウエストフラップに取り付けられて、ウエストフラップにギャザーが寄せられる。本発明の特定の態様において、弾性要素１０４と１０６は、デラウェア州ウィルミントン在住のＥ．Ｉ．デュポン・デュ・ニューモラス・コーポレションから入手可能な９４０のデシテックス・リクラの別個のストランドから構成されてもよい。一般的に弾性要素１０４と１０６がウエストフラップに取り付けられる前に伸ばされてもよい。例えば、弾性要素は、該弾性要素１０４と１０６が、弛緩状態の時にウエストフラップ１００と１０２にギャザーを形成するように取り付けられる前に、少なくとも約５％であり、好ましくは約１０から約８０％で伸ばされてもよい。
弾性要素１０４と１０６は、ウエストフラップ１００と１０２の幅を完全に横切って延びていてもよいし、延びていなくてもよい。図３Ａないし図３Ｃで図示する特定の態様において、弾性要素１０４と１０６は、脚部収納ガスケット３８の中央寄りの縁６６の間を延びているのみである。脚部収納ガスケット３８の間にのみ取り付けることによって、弾性要素１０４と１０６とによって吸収性物品２０の長手方向側部にかかる弾性力が最小となる。
ウエストフラップ１００と１０２が所望の形状であり、構造である。一般的にウエストフラップの近い方の縁が吸収性物品２０の外周縁に取り付けられるように構成されている。各ウエストフラップ１００と１０２とが、吸収性物品２０の長手方向の中心線４６に沿って長さ１１４を有し、ウエストフラップが人体排泄物を含むことができるようになっている。好ましくは、各ウエストフラップの長さ１１４は、少なくとも約１．０センチメートルであり、好ましくは約１．５から約８．０センチメートルであり、より好ましくは約２．０から約５．０センチメートルであり、十分な間隙容積を形成して人体排泄物、特に固形および半固形人体排泄物を含むようになっている。
本発明の別の態様は、着用者の人体とのシール状態の接触を有効に維持できる一対の脚部収納ガスケットを有し、人体排泄物の漏れをより有効に防ぐようになっている吸収性物品を形成するので有効である。さらに、吸収性物品は、別の間隙容積を形成し、人体排泄物を含みこの排泄物の漏れを防ぐように構成できるウエストフラップを含むことができる。特に、脚部収納ガスケットとウエストフラップとの組合せは、吸収性物品の全外周縁のまわりにシールを形成することができる。その結果として、本発明の吸収性物品は、吸収性物品の吸収性コアの股セクションの幅が極めて狭いときでも、吸収性物品の脚部およびウエスト開口部のまわりの漏れ量を減少させることができる。
例
以下の例は、本発明をより詳細に理解するのに示されている。特定の材料とパラメータは例示であり、本発明の範囲を制限するものではない。
ガーレイ剛性試験
本試験は、特定の条件のもとで材料サンプルを曲げるのに必要とされる力をミリグラム単位で計測するように構成されている。記録された力が材料の剛性の計測値を構成する。
設備および材料
１．ニューヨーク州トロイ在住のテレダイン・ガーレイから商業的に入手可能なガーレイディジタル剛性試験器。
２．テレダイン・ガーレイから商業的に入手可能な５、２５、５０および２００グラムのウエイト。
３．ペーパカッター
試験手順
１．ガーレイ剛性試験器を較正する。
２．ペーパカッターを用いてサンプル材料を切断し、１．０インチ×１．５インチのサンプルを形成する。
３．サンプルが振り子上で中央にされるようにサンプルをガーレイ剛性試験器に配置する。サンプルが０．２５インチだけ振り子の上部と重なり、０．２５インチが試験器のジョーに保持される。
４．サンプルの相対的剛性に基づき重量と位置を設定する。
５．試験器を始動する。
６．平均スケール読み取り値を記録する。
例１
本発明の脚部収納ガスケットを形成するのに用いることのできる材料の５個のサンプルが作られた。図２に示すように、材料は、基本重量が約３３．９グラム／平方メートルを有するポリエチレン／ポリプロピレン複合繊維からなる通気結合複合繊維スパンボンドウェブであった表面層６０を含んでいた。マサチュセッツ州サウス・デアーフィールド在住のデアーフィールド・ウレタンから登録商標ＰＴ−６１００として商業的に入手できた厚さ１．０ミルを有するウレタンフィルムから構成され、取り付け前に３００％伸ばされた。脚部収納ガスケット材料は基材層を含んでいなかった。脚部収納ガスケット材料は、６、９００ダイン／平方センチメートル（０．１ポンド／平方インチ）の圧力を受けて、１．４７ミリメートルの厚さを有していた。次いで、サンプルが上述のガーレイ剛性試験を受けた。サンプルは、５３．１７ミリグラムの平均ガーレイ剛性を有していた。
例２
本発明の脚部収納ガスケットを形成するのに用いることのできる５個の材料サンプルが作られた。図２に示すように、材料は、基本重量が約１０２グラム／平方メートルを有するポリエチレン／ポリプロピレン複合繊維からなる通気結合複合スパンボンドウェブであった表面層６０を含んでいた。基材層６２は、基本重量が約１６．９グラム／平方メートルであるポリエチレン／ポリプロピレン複合繊維の通気結合複合スパンボンドウェブであった。弾性部材６４は、デラウェア州ウィルミントン在住のＥ．Ｉ．デュポン・デュ・ニューモラス・コーポレションから入手可能な９４０のデシテックス・リクラの別個のストランドから構成されていればよい。材料は、取り付け前に３００％伸ばされたセンチメートル幅当たり約３．１弾性ストランド／センチメートルの幅を有していた。脚部収納ガスケット材料は、６、９００ダイン／平方センチメートル（０．１ポンド／平方インチ）の圧力で、３．８１ミリメートルの厚さを有していた。次いで、サンプルが上述のガーレイ剛性試験を受けた。サンプルは、１０３４．５ミリグラムの平均ガーレイ剛性を有していた。
比較例１
ウィスコン州ニーナ在住のキンバリークラーク社から商業的に入手可能なヒュー・スープリムおむつの段階２の弾性化された脚部カフスに使用された弾性材料の５個の例が得られた。弾性材料は、ニュージャジ州、サウス・プレーンフィールド在住のエジソン・プラスチック社から商業的に入手可能な０．７５ミル・ポリプロピレンフィルム材料の層を含んでいた。弾性材料は、デラウェア州ウィルミントン在住のＥ．Ｉ．デュポン・デュ・ニューモラス・コーポレションから入手可能な９４０のデシテックス・リクラの４つのストランドから構成されていればよい。弾性ストランドは、フィルム層に接着剤で固定される前に２００−３５０％伸張した。弾性材料は、上述したようにガーレイ剛性試験を受けた。弾性材料の平均ガーレイ剛性は２１．２ミリグラムであった。
比較例２
キンバリークラーク社から商業的に入手可能なヒュー・スープリムおむつの段階５の５個の例が得られた。おむつの体側ライナーに沿って長手方向に延び、体側ライナーからほぼ垂直で直立形状のままであるように構成されている弾性化された収納フラップを含んでいた。弾性収納フラップは、両側に積層されたスパンボンドウェブを有するメルトブローフィルムである不織積層を含んでいた。フラップは、デラウェア州ウィルミントン在住のＥ．Ｉ．デュポン・デュ・ニューモラス・コーポレションから入手可能な４７０のデシテックス・リクラの２つのストランドを含んでいた。弾性化された収納フラップが、おむつから取り除かれ、弛緩でき、上述したようにガーレイ剛性試験を受けた。サンプルの平均ガーレイ剛性試験は１３．３ミリグラムであった。
本発明は、特定の態様に関し詳細に記載してきたが、本分野の当業者であれば上述の理解を得る際に、これらの態様の変更、変形、および均等例を容易に考えることができる。従って、本発明の範囲は、添付の請求の範囲とこれらに均等するものとして考えられるべきである。
【図１Ａ】
0003922724.tif 000002
【図１Ｂ】
0003922724.tif 000003
【図１Ｃ】
0003922724.tif 000004
【図２】
0003922724.tif 000005
【図３Ｃ】
0003922724.tif 000006
【図３Ａ】
0003922724.tif 000007
【図３Ｂ】
0003922724.tif 000008